(57)【特許請求の範囲】
【請求項１】
リフォーム時にハイドアを取り付けるときにおいて、取り付ける部分の一般的な床から天井までの高さ方向の寸法よりも余裕を持った大きな寸法となした、吊元側の下地縦枠との対向面に、上端から下端に亘る高さ方向の戸当たり嵌合溝を設けた戸先側の下地縦枠と、前記戸先側の下地縦枠との対向面に、上端から下端に亘る高さ方向の戸当たり嵌合溝を設けると共に、上下の適宜の位置にヒンジ金物の取付加工部を設けた吊元側の下地縦枠と、前記戸先側の下地縦枠との対向面に、該下地縦枠の戸当たり嵌合溝に嵌合する、上端から下端に亘る高さ方向の嵌合突条を設けた戸先側の戸当りと、前記吊元側の下地縦枠との対向面に、該下地縦枠の戸当たり嵌合溝に嵌合する、上端から下端に亘る高さ方向の嵌合突条を設けた吊元側の戸当りとを製作し、その後適時にこれらをドアの取付現場に搬入し、床や天井の張り替え作業等の後の正確な寸法を測定し、現場において各部材を採寸した寸法に合わせるべく、戸先側の下地縦枠においては、上端側の部分を切除する一方、吊元側の下地縦枠においては、上下のヒンジ金物の取付加工部を避けた高さ方向の中間部の一部を切除すると共に、この切除した部分の継目をパテ材で補修し、また戸先側の戸当りと吊元側の戸当りは、いずれも上端の部分を切除し、各下地縦枠を、壁におけるドアを取り付ける開口部の壁下地に取り付けると共に、壁下地と下地縦枠の外周に、夫々の開口部側の端部が、前記戸先側の下地縦枠の戸当たり嵌合溝と、吊元側の下地縦枠の戸当たり嵌合溝の内部までに至るようにクロスを貼り、更に戸先側の下地縦枠と、吊元側の下地縦枠の夫々の戸当たり嵌合溝に、夫々の嵌合突条を嵌合して戸先側の戸当りと、吊元側の戸当りを取り付け、その後床から天井までの高さ方向の寸法と下地縦枠間の寸法を測定して戸を製作し、これを下地縦枠に吊り込むようになしたことを特徴とするリフォームによるドアの取付付け方法。
【発明の詳細な説明】
【技術分野】
【０００１】
本発明はリフォームによるドアの取付工法に関し、更に詳細には、リフォームによってドア、特に高さの高い、床から天井までその高さがある開き戸、所謂ハイドアを取り付ける工法に係わる。
【背景技術】
【０００２】
住宅のドアには、開き戸であって、戸の上端まで天井から下がった所謂下がり壁のあるドアと、これがなく、高さの高い、床から天井までその高さがある開き戸、所謂ハイドアとがある。
【０００３】
そして、一般的に採用されている前者のドアの場合には、部屋と部屋の空間の連続性を止める下がり壁が目線を遮り、閉塞感を感じさせるのに対して、後者のハイドアの場合には、下がり壁がないことから部屋の天井がひろがり、開放感のある空間となるものである。
【０００４】
上記のようなことから、住宅をリフォームする際において、後者のハイドアの利点を重視する施主は、ハイドアを設置することを望むことが多くなっている。
【０００５】
しかし、斯かる場合においては、実際上のドアの設置を施工する業者において段取りが取りづらく、工期が長引くことになって、結局施主がハイドアの採用を諦めざるを得ないことが起こり得る。
【０００６】
それは、ハイドアの場合、壁におけるドアを取り付ける開口部の床から天井までの高さ方向の寸法が正確に分らなければ、壁下地に取付ける下地縦枠や、戸当り、戸といった各部材を予め所定の寸法に作っておくことができないからである。
【０００７】
実際において、リフォームの場合には業者によって床材や天井の張り替え等が行われ、そしてその作業の結果、床から天井までの高さ方向の寸法がリフォーム前と違うことになってしまうことが多い。そして、これらの業者による施工はいつ行われるか分からず、全体の工期（納期）の間際まで遅れることもある。
【０００８】
このような場合において、床や天井の張り替え等の作業の完了後に寸法を測定し、それからドアの各部材を作り出すことになると、全体の工期（納期）に間に合わないことになり、結局、施主においてハイドアの採用を諦めざるを得ないことになる。
【発明の概要】
【発明が解決しようとする課題】
【０００９】
本発明は上記の点に鑑みなされたものであって、リフォーム時にハイドアを取り付けるときにおいて、取り付ける部分の一般的な床から天井までの高さ方向の寸法よりも余裕を持った大きな寸法となしたドアを構成する下地縦枠と戸当りを製作し、その後これらをドアの取付現場に搬入し、床や天井の張り替え作業等の後の正確な寸法を測定し、現場において各部材を採寸した寸法に合わせて切除して組み付け、その後床から天井までの高さ方向の寸法と下地縦枠間の寸法を測定して戸を製作し、これを下地縦枠に吊り込むようになし、もって床材や天井の張り替え作業と関係なく、即ち、床から天井までの高さ方向の正確な寸法が分からない状態でも下ごしらえを行うことができ、そして、実際の取り付け時には現場において切除による簡単な寸法合わせができるようにして、ハイドアの取り付けを効率よく、極短時間で終わらせることができるようになしたリフォームによるドアの取付工法を提供しようとするものである。
【課題を解決するための手段】
【００１０】
而して、本発明の要旨とするところは、リフォーム時にハイドアを取り付けるときにおいて、取り付ける部分の一般的な床から天井までの高さ方向の寸法よりも余裕を持った大きな寸法となした、吊元側の下地縦枠との対向面に、上端から下端に亘る高さ方向の戸当たり嵌合溝を設けた戸先側の下地縦枠と、前記戸先側の下地縦枠との対向面に、上端から下端に亘る高さ方向の戸当たり嵌合溝を設けると共に、上下の適宜の位置にヒンジ金物の取付加工部を設けた吊元側の下地縦枠と、前記戸先側の下地縦枠との対向面に、該下地縦枠の戸当たり嵌合溝に嵌合する、上端から下端に亘る高さ方向の嵌合突条を設けた戸先側の戸当りと、前記吊元側の下地縦枠との対向面に、該下地縦枠の戸当たり嵌合溝に嵌合する、上端から下端に亘る高さ方向の嵌合突条を設けた吊元側の戸当りとを製作し、その後適時にこれらをドアの取付現場に搬入し、床や天井の張り替え作業等の後の正確な寸法を測定し、現場において各部材を採寸した寸法に合わせるべく、戸先側の下地縦枠においては、上端側の部分を切除する一方、吊元側の下地縦枠においては、上下のヒンジ金物の取付加工部を避けた高さ方向の中間部の一部を切除すると共に、この切除した部分の継目をパテ材で補修し、また戸先側の戸当りと吊元側の戸当りは、いずれも上端の部分を切除し、各下地縦枠を、壁におけるドアを取り付ける開口部の壁下地に取り付けると共に、壁下地と下地縦枠の外周に、夫々の開口部側の端部が、前記戸先側の下地縦枠の戸当たり嵌合溝と、吊元側の下地縦枠の戸当たり嵌合溝の内部までに至るようにクロスを貼り、更に戸先側の下地縦枠と、吊元側の下地縦枠の夫々の戸当たり嵌合溝に、夫々の嵌合突条を嵌合して戸先側の戸当りと、吊元側の戸当りを取り付け、その後床から天井までの高さ方向の寸法と下地縦枠間の寸法を測定して戸を製作し、これを下地縦枠に吊り込むようになしたことを特徴とするリフォームによるドアの取付付け方法にある。
【発明の効果】
【００１１】
本発明は上記の如き構成であり、リフォーム時にハイドアを取り付けるときにおいて、取り付ける部分の一般的な床から天井までの高さ方向の寸法よりも余裕を持った大きな寸法となしたドアを構成する戸先側及び吊元側の下地縦枠及びこれら下地縦枠に取り付ける戸当りを製作し、その後適時にこれらをドアの取付現場に搬入し、床や天井の張り替え作業等の後の正確な寸法を測定し、現場において各部材を採寸した寸法に合わせるべく切除して壁におけるドアを取り付ける開口部に組み付け、その後床から天井までの高さ方向の寸法と前記下地縦枠間の寸法を測定して戸を製作し、これを前記下地縦枠に吊り込むようになしたものであるから、床や天井の張り替え作業と関係なく、即ち、床から天井までの高さ方向の正確な寸法が分からない状態でも下ごしらえを行うことができ、そして、実際の取り付け時には現場において切除による簡単な寸法合わせができるから、ハイドアの取り付けを効率よく、極短時間で終わらせることができるようになるものである。
【００１２】
また、下地縦枠と戸当りは、実際に現場で取り付ける前に、予め一般的な床から天井までの高さ方向の寸法よりも余裕を持った大きな寸法に作っておくものであるから、同一の寸法のものを作り置きすることができ、もって製造コストを低く抑えることができるものである。
【図面の簡単な説明】
【００１３】
【図１】本発明の実施形態に係るリフォームによるドアの取付工法によって取り付けたドアの正面図である。
【図２】図１中Ａ―Ａ線断面図である。
【図３】同下ごしらえした下地縦枠と戸当りの斜視図である。
【図４】同下地縦枠と戸当りを適正寸法に切除して下地縦枠を壁の壁下地に取付けると共にクロスを貼った状態の断面図である。
【発明を実施するための形態】
【００１４】
以下、本発明を実施するための形態について、図面を参照して説明する。
【００１５】
図中、１はリフォームする住宅の壁であり、Ａは該壁１におけるドアを取り付ける開口部である。また、２は壁下地、３はプラスターボードである。本発明は、リフォームに際して、該壁１における開口部Ａに、高さの高い、床から天井までその高さがある開き戸、所謂ハイドアを取り付ける工法であり、工程は以下の通りである。
【００１６】
先ず、ドアを取り付ける部分、即ち、開口部Ａの一般的な床から天井までの高さ方向の寸法よりも余裕を持った大きな寸法となした下地縦枠と戸当りを製作する。即ち、図３に示す如く、戸先側の下地縦枠４ａ及び吊元側の下地縦枠４ｂの高さ方向の寸法Ｌ１と、戸先側の戸当り６ａ及び吊元側の戸当り６ｂの高さ方向の寸法Ｌ２を、開口部Ａの一般的な床から天井までの高さ方向の寸法よりも余裕を持った大きな寸法にして製作する。
【００１７】
また、該戸先側の下地縦枠４ａと吊元側の下地縦枠４ｂの対向面には、夫々上端から下端に亘る高さ方向の戸当り嵌合溝５ａ、５ｂを設けており、更に吊元側の下地縦枠４ｂには、上下の適宜の位置にヒンジ金物の取付加工部７、７を設けている。また一方、戸先側の戸当り６ａと吊元側の戸当り６ｂの夫々の前記下地縦枠４ａ、４ｂとの対向面には、前記戸当り嵌合溝５ａ、５ｂの夫々に嵌合する、上端から下端に亘る高さ方向の嵌合突条６ａ′、６ｂ′を設けている。尚、これらの下地縦枠４ａ、４ｂと戸当り６ａ、６ｂは、床や天井の張り替え作業と関係なく、少なくともそれらの作業が完了する前の自分の都合の良いときに製作し、そしてこれらを１セットとして現場に搬入するものである。
【００１８】
次に、床や天井の張り替え作業等の後の開口部Ａにおける床から天井までの高さ方向の正確な寸法を測定し、前記下地縦枠４ａ、４ｂと戸当り６ａ、６ｂを、採寸した寸法に合わせるべく切除する。
【００１９】
また、この切除は、戸先側の下地縦枠４ａにおいては、上端側の部分Ｃ１を切除し、吊元側の下地縦枠４ｂにおいては、上下のヒンジ金物の取付加工部７、７を避けた高さ方向の中間部の一部Ｃ２を切除する。そして、切除した部分は、取り付けるときに継ぎ合わせる。
【００２０】
また一方、戸先側の戸当り６ａと吊元側の戸当り６ｂは、いずれも上端側の部分Ｃ３、Ｃ４を切除する。
【００２１】
次に、戸先側の下地縦枠４ａと吊元側の下地縦枠４ｂを、夫々開口部Ａの壁下地２に取付ける。また、このとき、吊元側の下地縦枠４ｂにおいては、切除した部分の継ぎ目をパテ材（図示せず。）で補修する。尚、このパテ材による補修箇所は、後にクロスを貼ることにより隠れて外部からは見えなくなり、見栄えが悪くなることはない。
【００２２】
次に、壁下地２のプラスターボード３と両下地縦枠４ａ、４ｂの夫々の外周にクロス８を貼る（図４）。尚、該クロス８の端部８ａの夫々は、両下地縦枠４ａ、４ｂの戸当り嵌合溝５ａ、５ｂの内部まで至るようにすることが望ましい。
【００２３】
次に、戸先側の下地縦枠４ａと吊元側の下地縦枠４ｂの夫々に設けた戸当り嵌合溝５ａ、５ｂに、各戸当り６ａ、６ｂの嵌合突条６ａ′、６ｂ′を嵌合する。
【００２４】
次に、床から天井までの高さ方向の寸法と下地縦枠４ａ、４ｂ間の寸法を測定して戸９を製作し、下地縦枠４ａ、４ｂに吊り込むものである。尚、１０は吊元側の下地縦枠４ｂに戸９を枢着するヒンジ金物である。
【００２５】
本発明は以上の工程からなるものであるから、取り付ける部分の床から天井までの高さ方向の正確な寸法が分からない状態でも下ごしらえを行うことができ、そして、実際の取り付け時には現場において切除による簡単な寸法合わせができるから、ハイドアの取り付けを効率よく、極短時間で終わらせることができるようになるものである。また、下地縦枠と戸当りは、実際に現場で取り付ける前に、予め一般的な床から天井までの高さ方向の寸法よりも余裕をもった大きな寸法に作っておくものであるから、同一の寸法のものを作り置きすることができ、もって製造コストを低く抑えることができるものである。
【符号の説明】
【００２６】
１  壁
Ａ  ドアを取り付ける開口部
２  壁下地
３  プラスターボード
４ａ  戸先側の下地縦枠
４ｂ  吊元側の下地縦枠
５ａ、５ｂ  戸当り嵌合溝
６ａ、６ｂ  戸当り
６ａ′、６ｂ′  嵌合突条
７  ヒンジ金物の取付加工部
８  クロス
９  戸
１０  ヒンジ金物
【要約】
【課題】  高さの高い、床から天井までその高さがあるハイドアを、リフォーム時において効率よく、極短期間で取り付けることができるようにする。
【解決手段】  取り付ける部分の一般的な床から天井までの高さ方向の寸法よりも余裕を持った大きな寸法となした戸先側及び吊元側の下地縦枠４ａ、４ｂ及びこれら下地縦枠に取り付ける戸当り６ａ、６ｂを製作し、その後適時にこれらをドアの取付現場に搬入し、床や天井の張り替え作業等の後の正確な寸法を測定し、現場において各部材を採寸した寸法に合わせるべく切除し、各下地縦枠４ａ、４ｂを、壁におけるドアを取り付ける開口部Ａの壁下地２に取付けると共に、壁下地２と下地縦枠４ａ、４ｂの外周にクロス８を貼り、更に各下地縦枠４ａ、４ｂに戸当り６ａ、６ｂを取り付け、その後床から天井までの高さ方向の寸法と下地縦枠４ａ、４ｂ間の寸法を測定して戸９を製作し、これを下地縦枠４ａ、４ｂに吊り込む。
【選択図】  図２【図１】
0006934096.tif 000002
【図２】
0006934096.tif 000003
【図３】
0006934096.tif 000004
【図４】
0006934096.tif 000005